(57)【要約】      （修正有）【課題】位置検出装置を配置する鏡筒のラジアル方向及びスラスト方向の幅を広げることなく、位置検出装置における導電パターン部とブラシの摺動面積を増やし、レンズを大型化することなくＡＦ高精度化を実現する。【解決手段】信号出力部を有する位置検出のための導電パターン２と、導電パターン２上を摺動し、互いに電気的に結合された複数の接片を設けたブラシ１とを有する位置検出装置３を備えた光学機器において、前記ブラシ１の複数の接片のうち少なくとも１本の接片の摺動面が光軸に対して垂直な面に設けられ、前記ブラシ1の他の接片の摺動面が光軸に対して円周方向の面に設けられている。【選択図】図１
2013080084.tif 000002
【特許請求の範囲】
【請求項１】
信号出力部を有する位置検出のための導電パターンと、
前記導電パターン上を摺動し、互いに電気的に結合された複数の接片を設けたブラシ
とを有する位置検出装置を備えた光学機器において、
同一の前記位置検出装置が光軸に対して垂直な面と円周方向の面の両方に配置されたことを特徴とする光学機器。
【請求項２】
前記位置検出装置において、前記導電パターンが光軸に対して垂直な面と円周方向の面を持つことを特徴とする請求項１に記載の光学機器。
【請求項３】
前記位置検出装置において、前記複数のブラシの接片のうち少なくとも１本の接片の摺動面が光軸に対して垂直な面に設けられ、
前記複数のブラシの他の接片の摺動面が光軸に対して円周方向の面に設けられたことを特徴とする請求項１に記載の光学機器。
【請求項４】
前記導電パターンにおいて、前記光軸に対して垂直な面がコモンを含んでいることを特徴とする請求項１に記載の光学機器。
【発明の詳細な説明】
【技術分野】
【０００１】
本発明は、交換レンズのフォーカシングやズーミングなどの位置を検出する導電パターンと、ブラシを用いた位置検出装置に関するものである。
【背景技術】
【０００２】
従来、位置検出装置としては導電パターンとブラシを用いたもの等が用いられている。導電パターンとブラシを用いた位置検出装置のうち、一般的にはブラシの接片を導電パターンの切り換え方向に対して横一列に並べるよう構成されている。
【０００３】
図４は、交換レンズ内に用いられる従来のこの種の位置検出装置の一例を示す斜視図である。１２は固定鏡筒等の外周に貼着される導電パターンからなるフレキシブルプリント板を示し、１２ｇは信号出力部で、先端はメイン実装部品に配線されている。また、１１は前述の固定鏡筒と相対的に回転し、焦点調節のためのレンズ枠を光軸方向に移動させる回転ヘリコイド等に固定されるブラシを示す。
【０００４】
近年、デジタル一眼レフカメラでは、ＡＦの高精度化が求められている。それに伴い、フォーカシングやズーミングなどの位置検出の分解能をあげることが必要とされる。分解能を上げる手段としては、位置検出装置にて用いている導電パターンの分割数を増やすことが必要となる。
【０００５】
しかしながら、上記の従来例ではパターン分割数を増やすためには、導電パターンの幅を広くする必要がある。また、それに伴い導電パターンに摺動するブラシ全体の幅も広くなる。そのため、導電パターンとブラシの大型化により、例えば、交換レンズが大型になってしまい、コストも高くなるという課題があった。
【０００６】
上記の課題を解決する手段として、特許文献１に記載の位置検出装置では、複数のブラシの接片のうち少なくとも１本の接片の摺動面が他の接片の摺動面の一部を共有している。そして該摺動面を共用する複数の接片が、該導電パターン上を摺動することによって複数回の周期的な信号を出力するように構成している。このことにより、複数の接片の摺動する軌跡を一部共通にし、ブラシ全体の横方向の幅を小さくでき、導電パターン用のプリント基板も幅を小さくできるので装置を小型化することができる。
また特許文献２に記載の位置検出手段では、導電パターンを光軸に垂直な面に配置することにより、互いに重なって回転する鏡筒間に摺動子の移動スペースを必要としない。このことにより、鏡筒の径を大きくせずに位置検出手段を内蔵して装置自体の細径化を図っている。
【先行技術文献】
【特許文献】
【０００７】
【特許文献１】特開平５−１８８２６３号公報
【特許文献２】特開２００１−５６４２８号公報
【発明の概要】
【発明が解決しようとする課題】
【０００８】
しかしながら、特許文献１に記載の位置検出装置では、同一の導電パターン上を複数のブラシが摺動するため、磨耗耐久性が劣化する。また同一の周方向に並んだブラシの接片に対して、同時に複数の信号を検出させなければいけないため、導電パターンの設計に制約が出てきてしまう。
【０００９】
また特許文献２に記載の位置検出手段では、導体パターン部材を配置できるスペースに限りがあるため、同心円状に平行に並べられることの出来る接片の数に限りがある。このため、導体パターン部材を配置する面積を増やし、鏡筒の径を増やさない限り、導体パターンの分割数を増やすことはできない。
【００１０】
そこで本発明の目的は、位置検出装置を配置する鏡筒のラジアル方向及びスラスト方向の幅を広げることなく、位置検出装置における導電パターン部とブラシの摺動面積を増やし、レンズを大型化することなくＡＦ高精度化を実現することにある。
【課題を解決するための手段】
【００１１】
上記目的を達成するため、本発明の光学機器は信号出力部を有する位置検出のための導電パターンと、前記導電パターン上を摺動し、互いに電気的に結合された複数の接片を設けたブラシとを有する位置検出装置を備えた光学機器において、同一の前記位置検出装置が光軸に対して垂直な面と円周方向の面の両方に配置されたものである。
【００１２】
また本発明の光学機器において、前記位置検出装置は、前記導電パターンが光軸に対して垂直な面と円周方向の面を持つことを特徴とする。
【００１３】
また本発明の光学機器において、前記位置検出装置は、前記複数のブラシの接片のうち少なくとも１本の接片の摺動面が光軸に対して垂直な面に設けられ、前記複数のブラシの他の接片の摺動面が光軸に対して円周方向の面に設けられたことを特徴とする。
【００１４】
また本発明の光学機器において、前記導電パターンは、前記光軸に対して垂直な面がコモンを含んでいることを特徴とする光学機器。
【発明の効果】
【００１５】
本発明によれば、位置検出装置を配置する鏡筒のラジアル方向及びスラスト方向の幅を広げることなく、位置検出装置における導電パターン部とブラシの摺動面積を増やすことができる。これにより、レンズを大型化することなくＡＦ高精度化を実現することができる。
【図面の簡単な説明】
【００１６】
【図１】本発明の実施例である位置検出装置のブラシ及び導電パターンを形成したフレキシブルプリント基板が、交換レンズの固定鏡筒に取り付けられた図である。
【図２】図１に示す実施例の位置検出装置のブラシ及びフレキシブルプリント基板の関係を簡易的に模した図である。
【図３】図２に示す実施例における位置検出信号の通電・非通電状態を示した表である。
【図４】従来例の位置検出装置のブラシ及び導電パターンを形成したフレキシブルプリント基板が、交換レンズの固定鏡筒に取り付けられた図である。
【図５】図４に示す従来例の位置検出装置のブラシ及びフレキシブルプリント基板の関係を簡易的に模した図である。
【発明を実施するための形態】
【００１７】
以下に本発明の実施の形態を、添付の図面に基づいて詳細に説明する。
【００１８】
図１は、本発明の実施例である位置検出装置のブラシ及び導電パターンを形成したフレキシブルプリント基板が、交換レンズの固定鏡筒に取り付けられたものである。図１において位置検出装置３はブラシ１及びフレキシブルプリント基板２によって構成されている。
【００１９】
図２は位置検出装置１のブラシ及び導電パターンを形成したフレキシブルプリント基板の関係を簡易的に模したものである。図２において、ブラシ１は、例えば焦点調節用のレンズ枠を光軸方向に移動させる回転ヘリコイドに取り付けられている。ブラシ１は導電性材料により一体成形されており、円周方向の面に摺動する接片１ｂ、１ｃ、１ｄ、１ｅが並列して配設され、光軸に対して垂直な面に摺動する接片１ａがブラシ１の像面側または撮像面側の端に配設されている。
【００２０】
また、同図の位置検出用の導電パターンを形成したフレキシブルプリント板２は、例えば前述従来例のように、交換レンズの固定鏡筒に取り付けられるものであり、２ａ、２ｂ、２ｃ、２ｄ、２ｅ、２ｆは導電パターン部を示している。また２ｇはそれぞれの導電パターンの信号出力部である。
【００２１】
この際、２ｂ、２ｃ、２ｄ、２ｅ、２ｆ及び２ｇは固定鏡筒の円周面に取り付けられており、２ａはコモンとして前述従来例ではデッドスペースとなっていた、固定鏡筒において光軸に対して垂直な面に取り付けられている。
【００２２】
以上の構成の本実施例において、いま摺動する接片１ｂ、１ｃ、１ｄ、１ｅがＡの位置からＢの位置まで移動する間、接片１ａは常に導電パターン部２ａに接触している。また、接片１ｄはＡの位置からＢの位置までの移動中、まず導電パターン２ｄに接触し、導電パターン２ａと通電状態になる。さらに移動すると、接片１ｄは導電パターン２ｄから離れ、非通電状態となるとともに、接片１ｂは導電パターン２ｂに接触し、導電パターン２ａと通電状態になる。さらに、ブラシが移動していくと接片１ｃは導電パターン２ｃと接触し、導電パターン２ａと通電状態となる。
【００２３】
以上の過程を導電パターン２ａとその他の導電パターン２ｂ、２ｃ、２ｄ、２ｅ、２ｆとの通電状態を０、非通電状態を１として表すと、図３のようになる。すなわち、各信号の通電状態及び非通電状態の組合せにより、Ａ地点からＢ地点までのどの位置にブラシがあるか検出できるものである。このとき導電パターン２ａはコモンとして光軸に対して垂直な面に配設されているので、位置検出手段として配設されているその他の導電パターンに比べ、貼り付け精度を必要としない。
【００２４】
交換レンズにおいては、Ａ地点及びＢ地点を至近端、無限遠としてフォーカス位置検出に使用しても良いし、ワイド端、テレ端としてズーミングによる焦点距離検出に使用しても良い。
【００２５】
以上、本発明の好ましい実施の形態について説明したが、本発明はこれらの実施の形態に限定されないことは言うまでもなく、その要旨の範囲内で種々の変形及び変更が可能である。
【符号の説明】
【００２６】
１    ブラシ
１ａ、１ｂ、１ｃ、１ｄ、１ｅ    接片
２    フレキシブルプリント板
２ａ    導電パターン（コモン）
２ｂ、２ｃ、２ｄ、２ｅ、２ｆ    導電パターン（位置検出部）
２ｇ    信号出力部
３    位置検出装置
４    固定筒
５    メイン基板
【図１】
2013080084.tif 000003
【図２】
2013080084.tif 000004
【図３】
2013080084.tif 000005
【図４】
2013080084.tif 000006
【図５】
2013080084.tif 000007